(57)【要約】      （修正有）【課題】製造コストの低減化と、小型化とを図ることができる上、故障の発生を抑えることができるＵＳＢ作動玩具を提供する。【解決手段】ＵＳＢ作動玩具Ａは電子機器のＵＳＢポートに接続するＵＳＢ接続端子４を備え、該ＵＳＢ接続端子４を介して電子機器Ｂから電力の供給を受けるようにし、このＵＳＢ作動玩具Ａは玩具本体１の内部に複数の電磁コイルを配設し、玩具本体１の上面には底部に磁石を設けた玩具体２を載置し、上記玩具本体１は上記電磁コイルへの通電を制御する制御部を備え、玩具本体１の上面には透明なカバー３を配置し、上記玩具体２を上記カバー３の内部に収容した。【選択図】図１
0003154664.tif 000002
【実用新案登録請求の範囲】
【請求項１】
以下の要件を備えることを特徴とするＵＳＢ作動玩具。
（イ）上記ＵＳＢ作動玩具は電子機器のＵＳＢポートに接続するＵＳＢ接続端子を備え、該ＵＳＢ接続端子を介して電子機器から電力の供給を受けること
（ロ）上記ＵＳＢ作動玩具は玩具本体の内部に複数の電磁コイルを配設し、玩具本体の上面には底部に磁石を設けた玩具体を載置したこと
（ハ）上記玩具本体は上記電磁コイルへの通電を制御する制御部を備えたこと
（二）上記玩具本体の上面には透明なカバーを配置し、上記玩具体は該カバーの内部に収容したこと
【請求項２】
前記ＵＳＢ作動玩具をパソコンの入力装置であるマウスに設けた、請求項１記載のＵＳＢ作動玩具。
【請求項３】
前記ＵＳＢ作動玩具を携帯電話の充電ケーブルに設けた、請求項１記載のＵＳＢ作動玩具。
【考案の詳細な説明】
【技術分野】
【０００１】
本考案は、揺動玩具、詳しくはパソコンなどの電子機器のＵＳＢポートに接続すると動作するＵＳＢ作動玩具に関するものである。
【背景技術】
【０００２】
従来、パソコンなどの電子機器に接続して動作させる動作玩具として、コンピュータに周辺機器を接続するＵＳＢ規格の接続端子を有し、所望の形象物の形状に形成し、該形象物の一部を可動させる装飾体可動装置が提案されている（例えば、特許文献１）。この装飾体可動装置は外観が所望の形象物の形状に形成され、内部には、駆動部であるモータと、このモータの回転を減速させる減速歯車列とを有し、この減速歯車列から出力される回転によって手や脚、腰などの可動部を動かすようにしたものである。
【先行技術文献】
【特許文献】
【０００３】
【特許文献１】特開２００８−２９８５２号公報
【考案の概要】
【考案が解決しようとする課題】
【０００４】
本考案が解決しようとする問題点は、上述の装飾体可動装置はモータを回転させ、そのモータの回転を減速歯車で減速させて可動部を動かすようにしたものであるが、モータや減速歯車が発する動作音が気になる上、多数の部材を必要とするため、製造コストの低減化や装置の小型化を図ることができないし、長時間使用すると部品が磨耗したり破損したりして正常に動かなくなるトラブルの発生する恐れがあった。
【０００５】
本考案は、上記問題点を解決し、製造コストの低減化と、小型化とを図ることができる上、正常に動作しなくなるトラブルの発生を抑えることができるＵＳＢ作動玩具を提供することを課題とする。
【課題を解決するための手段】
【０００６】
前記課題を解決するために本考案に係るＵＳＢ作動玩具は、以下の要件を備えることを特徴とする。
（イ）上記ＵＳＢ作動玩具は電子機器のＵＳＢポートに接続するＵＳＢ接続端子を備え、該ＵＳＢ接続端子を介して電子機器から電力の供給を受けること
（ロ）上記ＵＳＢ作動玩具は玩具本体の内部に複数の電磁コイルを配設し、玩具本体の上面には底部に磁石を設けた玩具体を載置したこと
（ハ）上記玩具本体は上記電磁コイルへの通電を制御する制御部を備えたこと
（二）上記玩具本体の上面には透明なカバーを配置し、上記玩具体は該カバーの内部に収容したこと
【０００７】
なお、前記ＵＳＢ作動玩具をパソコンの入力装置であるマウスに設けてもよい。
【０００８】
また、前記ＵＳＢ作動玩具を携帯電話の充電ケーブルに設けても構わない。
【考案の効果】
【０００９】
請求項１の考案によれば、玩具体には磁石を設けただけなので、玩具本体内に配置した電磁コイルに通電したときに発生する磁力に玩具体の磁石が反応して動くので決められた動作ではない玩具を実現できる。しかも、機械的に動作する部分は全く必要としないので部品の磨耗や破損によるトラブルの発生は皆無にすることができし、部品の点数を抑え製造コストの低減化と、小型化とを図ることができるＵＳＢ作動玩具を実現することができる。
【００１０】
請求項２の考案によれば、パソコンの使用中は玩具体が動き回ってユーザーの心を癒してくれるＵＳＢ作動玩具を提供することができる。
【００１１】
請求項３の考案によれば、携帯電話を充電中はランプの点灯で知らせるのではなく玩具体が玩具本体の上面で動き回ることにより表示するので充電中か否かを判断しやすくすることができる。
【図面の簡単な説明】
【００１２】
【図１】本考案に係るＵＳＢ作動玩具の斜視図
【図２】上記ＵＳＢ作動玩具の構成を説明する分解斜視図
【図３】（ａ）〜（ｃ）は上記ＵＳＢ作動玩具の電気的構成を説明するブロック図
【図４】（ａ）〜（ｃ）は動作体の動きを説明する斜視図
【図５】（ａ）（ｂ）は駆動信号と動作体の動作との関係を説明するタイムチャート図
【図６】上記ＵＳＢ作動玩具の使用態様を説明する斜視図
【図７】上記ＵＳＢ作動玩具をマウスに適用した状態を説明する斜視図
【図８】上記ＵＳＢ作動玩具を携帯電話の充電ケーブルに適用した状態を説明する斜視図
【図９】（ａ）（ｂ）は駆動信号と動作体の動作との関係の他の例を説明するタイムチャート図
【考案を実施するための形態】
【００１３】
図１は、本考案に係るＵＳＢ作動玩具Ａの一例を示し、このＵＳＢ作動玩具Ａは箱状の玩具本体１の上に載せた玩具体２が透明なカバー３の内部で繰り返し動き回るようにしたもので、パソコンなどの電子機器に設けたＵＳＢポートにＵＳＢ接続端子４を差し込み、電子機器から電源の供給を受けて作動するようになっているものである。
【００１４】
玩具本体は、図２に示すように、下端が開口した箱体５の内部に３個の電磁コイルＬ（Ｌ１、Ｌ２、Ｌ３）が近接して環状に配置された電磁コイル基板６と、この電磁コイルＬへの通電を制御する制御部や電磁コイルＬを駆動するドライブ回路が配置された回路基板７を収容し、底蓋８をネジ止めして構成されており、ＵＳＢ接続端子４はケーブル９を介して回路基板７に接続されている。上記箱体５は樹脂製で上面にはガイド板１１が環状に突出して形成されている。
【００１５】
動作体２は樹脂製で宇宙人を模して形成された形象体１２を円形の台座１３の上に立設させ、この台座１３の底面には嵌合凹部１４を形成し、この嵌合凹部１４には永久磁石１５を嵌め込み、永久磁石１５の底面は台座１４の底面から下方に突出するように固定されている。
【００１６】
カバー３は樹脂製の透明な樹脂で、天板３ａを有する筒状に形成されるとともに内径が上記ガイド板１１の外径と略等しく形成され、動作体２を上記ガイド板１１の内側に載せてカバー３を嵌め合わせれば、動作体２が玩具本体１から離脱することなく、収容した状態が外側から目視できるようになっている。
【００１７】
図３（ａ）は、上記ＵＳＢ作動玩具の電気的構成の一例を説明するブロック図を示し、ＵＳＢ接続端子４を介して電子機器から電圧が供給されるようになっており、内蔵したメモリに記憶された制御プログラムに基づいて電磁コイルＬへの通電を制御するプログラマブルＩＣで構成された制御部Ｃには駆動回路Ｄ（Ｄ１、Ｄ２、Ｄ３）を介して電磁コイルＬ（Ｌ１、Ｌ２、Ｌ３）が接続されている。上記ＵＳＢ接続端子４を電子機器に接続すると、制御部Ｃは制御プログラムに基づいて、電磁コイルＬ（Ｌ１、Ｌ２、Ｌ３）を駆動する駆動信号ｄ（ｄ１、ｄ２、ｄ３）をＯＮするので、駆動信号ｄに対応した電磁コイルＬには通電されて磁界を発生する。
【００１８】
駆動信号ｄ１を出力して電磁コイルＬ１に通電すれば、図４（ａ）に示すように、玩具体２の永久磁石１５は電磁コイルＬ１に吸引されて矢印ａ方向に移動し、駆動信号ｄ１がＯＦＦになると、玩具体２は電磁コイルＬ１上でフリーになる。この状態で、駆動信号ｄ２を出力して電磁コイルＬ２に通電すれば、図４（ｂ）に示すように、玩具体２の永久磁石１５は電磁コイルＬ２に吸引されて矢印ｂ方向に移動し、駆動信号ｄ２がＯＦＦになると、玩具体２は電磁コイルＬ２上でフリーになる。さらに、駆動信号ｄ３を出力して電磁コイルＬ３に通電すれば、図４（ｃ）に示すように、玩具体２の永久磁石１５は電磁コイルＬ３に吸引されて矢印ｃ方向に移動し、駆動信号ｄ３がＯＦＦになると、玩具体２は電磁コイルＬ２上でフリーになり、駆動信号ｄ１〜ｄ３の何れか、若しくは複数をＯＮすることにより、動作体２の動き回り方を変えることができるようになっている。
【００１９】
例えば、図５（ａ）に示すように、制御部Ｃが短い間隔で駆動信号ｄを出力すれば、電磁コイルＬは頻繁に励磁されるので、動作体２の永久磁石１５は頻繁に吸引されて、動作体２は頻繁に動き回ることになり、図５（ｂ）に示すように、制御部Ｃが間隔を置いて駆動信号ｄを出力すれば、電磁コイルＬは間隔を置いて励磁されるので、動作体２の永久磁石１５は間隔をおいて吸引されることになり、動作体はゆっくり動き回ることになる。
【００２０】
上記構成のＵＳＢ作動玩具Ａは、図６に示すように、ＵＳＢ接続端子４をパソコンＢのＵＳＢポート２０に差し込み、パソコンＢの電源をＯＮすると、ＵＳＢケーブル９を経由してＵＳＢ作動玩具Ａに電圧が供給される。電圧が供給されると、制御部Ｃは制御プログラムに基づいて駆動信号ｄを出力し、電磁コイルＬに通電すると、電磁コイルＬは駆動信号ｄが出力されている間だけ励磁されるので、図４（ａ）（ｂ）に示すように、動作体２は玩具本体１の上に取り付けられた透明なカバー３の中で絶えず動き回ることになる。動作体２はカバー３の中に収容されているので激しく動き回っても玩具本体１の上から飛び出すことはない。
【００２１】
上述したように、本考案のＵＳＢ作動玩具Ａによれば、動作体２は台座１３に永久磁石１５を設け、玩具本体１には電磁コイルＬを配置し、この電磁コイルＬの駆動信号ｄを制御するだけで動作体２は動き回ることになるので、歯車やモータなどの駆動機構を全く設けることなく動作させることができるので、構成する部品の点数も少なく、組立ても容易な上、動作中に部品が疲労して破損するようなこともなく、生産性に優れるとともに、コストの低減化を図ることができる。しかも、動作態様は電磁コイルＬの駆動信号ｄのタイミングを変えるだけで変化させることができ、その動き方は予想できないので新しい発想のＵＳＢ作動玩具を提供することができる。
【００２２】
なお、図７は、ＵＳＢ作動玩具Ａをマウス２１に適用したもので、玩具本体１をＵＳＢケーブル９の途中に配置し、ＵＳＢケーブル９の一端にはＵＳＢ接続端子４を、他端にはマウス２１を設け、図３（ｂ）に示すように、作動情報検出部２２を設け、制御部Ｃはマウス２１の作動状態を作動情報検出部２２の検出信号に基づいて判断し、マウス２１を操作していると判断したときには制御部Ｃが電磁コイルＬの励磁を制御して動作体２を動き回らせるので、長時間パソコンを使用して疲労したオペレータを癒すことができる。
【００２３】
また、図８は、ＵＳＢ作動玩具Ａを、携帯電話２３の充電ケーブル２４に適用したもので、玩具本体１を充電ケーブル２４の途中に配置し、充電ケーブル２４の一端にはＵＳＢ接続端子４を、他端には携帯電話２３の接続ポート２５に接続する接続コネクタ２６を設け、図３（ｃ）に示すように、電流検出部２６を設け、制御部Ｃは充電電流の有無を電流検出部２６の検出結果に基づいて判断し、携帯電話への充電が完了し電流検出部２６の電流検出信号ｐがＯＦＦになった場合は制御部Ｃは駆動信号ｄの出力を停止するようになっている。
【００２４】
このＵＳＢ作動玩具Ａによれば、ＵＳＢ接続端子４をパソコンＢのＵＳＢポート２０に、接続コネクタ２６を携帯電話２３の接続ポート２５に差し込み、パソコンＢの電源をＯＮすれば、携帯電話２３への充電が始まり、充電中は動作体２が動き回り、充電が完了すると動作体２の動きが止まるので、充電完了を携帯電話２３の表示ランプの点灯状態で判断するのではなく、動作体２が動いているか否かで判断できるので、充電状況が判断がしやすいＵＳＢ作動玩具Ａを実現することができる。
【００２５】
なお、本考案では動作体２を構成する形象体１２を宇宙人を模して形成した場合で説明したが、この形象体１２は宇宙人に限定されるものではなく昆虫（くわがた）や動物（犬）、マンボウなどの魚などで構成しても構わない。又、カバーに鳥かごの模様を描いて動作体を鳥で構成するなどしてカバーに描いた絵柄と収容した動作体とを関連付ければより興味深いＵＳＢ作動玩具を提供することができる。
【００２６】
また、上述のＵＳＢ作動玩具Ａでは、電磁コイルＬの発生する磁界と動作体２の永久磁石１５の磁界とが磁着する関係にある場合について説明したが、必ずしも磁着関係にある必要はなく反発関係であってもよい。反発関係に設定して、電磁コイルＬに駆動信号を印加した場合は、図９（ａ）に示すように、制御部Ｃが短い間隔で駆動信号ｄを出力すれば、電磁コイルＬは頻繁に励磁されるので、動作体２の永久磁石１５は頻繁に反発して、動作体２は頻繁に跳ねとびを行なうことになり、図９（ｂ）に示すように、制御部Ｃが間隔を置いて駆動信号ｄを出力すれば、電磁コイルＬは間隔を置いて励磁されるので、動作体２の永久磁石１５は間隔をおいて反発することになり、動作体はゆっくり跳ねとびを行なうことになり、玩具本体１の上をジャンプしながら動き回ることになるのでダイナミックな動きをするＵＳＢ作動玩具を提供することができる。
【００２７】
なお、図示しないが、制御部が電磁コイルに通電する電流の方向や、駆動信号の出力する順番を変えるようにプログラミングすればさらに複雑な動きを動作体にさせることができるＵＳＢ作動玩具を実現することができる。
【符号の説明】
【００２８】
１    玩具本体
２    玩具体
３    カバー
４    ＵＳＢ接続端子
１５    永久磁石
２０    ＵＳＢポート
Ａ    ＵＳＢ作動玩具
Ｂ    電子機器
Ｃ    制御部
Ｌ    電磁コイル
【図１】
0003154664.tif 000003
【図２】
0003154664.tif 000004
【図３】
0003154664.tif 000005
【図４】
0003154664.tif 000006
【図５】
0003154664.tif 000007
【図６】
0003154664.tif 000008
【図７】
0003154664.tif 000009
【図８】
0003154664.tif 000010
【図９】
0003154664.tif 000011